(57)【要約】【課題】  フロントパネルに操作ボタンを配置し、操作部を除く操作ボタンの前面を装飾板が覆う操作ボタンにおいて、操作ボタンの取り付け作業を容易とし部品点数の削減を図り、ボタン操作時に操作ボタンが電子機器の内部に過剰に押し込まれることを簡単な構造で防止することが出来る実用性に優れた操作ボタンを備えた電子機器を提供する。【解決手段】  フロントパネル２０にはボタン取り付け部２１を設け、ここに開口部２２とストッパー部２３と凸部２４とを形成し、この凸部２４と操作ボタン３０に形成した凹部３６を嵌合して操作ボタン３０を位置決めし、装飾板４０で挟持固定する。操作部３１を押圧操作すると操作ボタン３０に形成したヒンジ部３４が撓み、開口部２２を挿通する押圧部３３が内部のスイッチを操作し、当接部３２がストッパー部２３に当接して操作ボタン３０の過剰な押し込みを規制する。【選択図】      図１
2006210191.tif 000002
【特許請求の範囲】
【請求項１】
フロントパネルに操作ボタンを配置し、この操作ボタンの操作部を除いて操作ボタンの前面を装飾板で覆い、前記操作部を押圧操作して前記操作ボタンの背面に突出する押圧部によって内部のスイッチを操作するように構成した操作ボタンを備えた電子機器において、前記フロントパネルには前記操作ボタンを取り付けて格納するボタン取り付け部を設け、このボタン取り付け部に前記押圧部を挿通する開口部と、ボタン取り付け部と操作ボタンの何れか一方に凸部を一体形成し、ボタン取り付け部と操作ボタンの何れか他方に前記凸部と嵌合して前記ボタン取り付け部に操作ボタンを位置決め保持する凹部を形成し、この凸部と凹部によってボタン取り付け部に固定するとともに、前記操作ボタンには、前記操作部を押圧することで撓んで押圧部によって内部のスイッチを操作するためのヒンジ部を設けたことを特徴とする操作ボタンを備えた電子機器。
【請求項２】
前記操作ボタンは、前記凸部と凹部によってボタン取り付け部に間隙を有して取り付けられているとともに、前記ボタン取り付け部にストッパー部を形成し、前記操作ボタンには前記ストッパー部と当接可能な当接部を形成し、前記操作部の押圧操作時に該当接部を前記ストッパー部と当接させることにより前記操作ボタンが過剰に前記電子機器の内部に押し込まれることを規制するように構成としたことを特徴とする請求項１記載の操作ボタンを備えた電子機器。
【請求項３】
前記装飾板が両面接着テープにより前記ボタン取り付け部に接着固定され、その装飾板と前記ボタン取り付け部とで前記操作ボタンを挟着保持したことを特徴とする請求項１又は２記載の操作ボタンを備えた電子機器。
【発明の詳細な説明】
【技術分野】
【０００１】
本発明は、フロントパネルに配置した操作ボタンの操作部を除いて装飾板で覆い、操作部の押圧操作によって内部のスイッチを操作するように構成した操作ボタンを備えた電子機器、特に操作ボタンの取り付け作業を容易とし部品点数の削減を図り、ボタン操作時に操作ボタンが電子機器の内部に過剰に押し込まれることを簡単な構造で防止することが出来る実用性に優れた操作ボタンを備えた電子機器に関する。
【背景技術】
【０００２】
従来から、携帯電話機などの無線機器に配置される操作ボタンのケース取り付け構造として特許文献１には「キー押圧装置の取付構造」などがあり、この従来技術によれば、操作ボタンを取付ける為の台座をケースの内側に形成し、略Ｌ字形の弾性部材で形成した操作ボタンの底面部に形成した係合爪とケースに形成した係合部と係合させると共に台座に操作ボタンの底面部を取り付けることにより、ネジ締めや融着等の締結手段を用いずに前記係合爪と係合部、及び台座と台座に設けたストッパー部で操作ボタンを位置決め固定する方法が提案されている。
【０００３】
また、テレビなどの電気機器に使用される操作ボタンをフロントパネルに取り付ける構造として特許文献２には「押しボタン連の取付構造」などがあり、この従来技術によれば、複数の操作ボタンを連結した押しボタン連の一方をフロントパネルの内面側に形成したガイドリブと位置決めピン及び位置決めリブに挿嵌し、他方をプリント基板の端部と挿嵌することによりネジ締めや融着等の締結手段を用いずに位置決め固定する方法が提案されている。
【０００４】
【特許文献１】特開２０００−１６５０６４号公報
【特許文献２】特開２０００−２９９５６７号公報
【発明の開示】
【発明が解決しようとする課題】
【０００５】
前述の従来技術において、例えば特許文献１においては、操作ボタンをケースの内側より取り付ける構造としている為、操作ボタンが破損するなどの不具合が生じて交換する際には無線機器を一度分解して操作ボタンを交換し、分解した他の部材を元の状態に戻すことが必要で、これらの手間が発生してしまうといったことが懸念される。また、ケースの内側には操作ボタンを固定する為の台座をケースと一体に形成した構造としている為、ケースを形成する為の金型形状が複雑となり、金型費用が増加してしまうこととなる。また、台座を形成する分だけ内部空間を余分に用いる為、無線機器等の電子機器の小型化が難しい構造といえる。また、特許文献２においては、操作ボタンが破損するなどの不具合が生じた際は電子機器を一度分解してプリント基板を取り外してから操作ボタンの交換を行い、再度分解したプリント基板や他の部材を元の状態に戻す手間が発生してしまうことが懸念される。また、操作ボタンの過剰な押し込みを防止するストッパー部を設けていない為、別途ストッパー部材を設けなければ操作ボタンの寿命が短くなる。或いはプリント基板に設けたスイッチを破損させる虞がある。これらを回避する為に別途ストッパー部材を設けると部品点数が増加してしまうといったことが懸念される。本発明は、操作ボタンの取り付け構造を簡略化することにより、金型費用を増加させず、ネジ締めや融着といった締結手段に依らずに操作ボタンをフロントパネルに固定し、別部材を増やすことなく簡単な構造で操作ボタンが過剰に押し込まれることを防止し、さらに操作ボタンに不具合が生じた際も電子機器を分解してから操作ボタンを交換し、再度分解した部材などを元の状態に戻すといった煩雑な手間を省き、操作ボタンの取り付け作業を容易とし部品点数も削減することが出来る操作ボタンを備えた電子機器を得るものである。
【課題を解決するための手段】
【０００６】
請求項１の操作ボタンを備えた電子機器は、フロントパネルに操作ボタンを配置し、この操作ボタンの操作部を除いて操作ボタンの前面を装飾板で覆い、前記操作部を押圧操作して前記操作ボタンの背面に突出する押圧部によって内部のスイッチを操作するように構成した操作ボタンを備えた電子機器において、前記フロントパネルには前記操作ボタンを取り付けて格納するボタン取り付け部を設け、このボタン取り付け部に前記押圧部を挿通する開口部と、ボタン取り付け部と操作ボタンの何れか一方に凸部を一体形成し、ボタン取り付け部と操作ボタンの何れか他方に前記凸部と嵌合して前記ボタン取り付け部に操作ボタンを位置決め保持する凹部を形成し、この凸部と凹部によってボタン取り付け部に固定するとともに、前記操作ボタンには、前記操作部を押圧することで撓んで押圧部によって内部のスイッチを操作するためのヒンジ部を設けたことを特徴とする。
【０００７】
請求項１の構成によれば、ボタン取り付け部と操作ボタンの何れか一方に形成した凸部を、ボタン取り付け部と操作ボタンの何れか他方に形成した凹部に嵌合させることによってボタン取り付け部に操作ボタンが位置決め保持され、操作ボタンの前面を覆う装飾板によってボタン取り付け部と装飾板との間に保持される。こうして、ボタン取り付け部に装着される操作ボタンは、装飾板の貫通孔から露出した操作部を押圧することでヒンジ部が撓んで操作ボタンの背面に形成する押圧部によって内部のスイッチが操作される。
【０００８】
請求項２の操作ボタンを備えた電子機器は、請求項１記載の操作ボタンを備えた電子機器において、前記操作ボタンは、前記凸部と凹部によってボタン取り付け部に間隙を有して取り付けられているとともに、前記ボタン取り付け部にストッパー部を形成し、前記操作ボタンには前記ストッパー部と当接可能な当接部を形成し、前記操作部の押圧操作時に該当接部を前記ストッパー部と当接させることにより前記操作ボタンが過剰に前記電子機器の内部に押し込まれることを規制するように構成としたことを特徴とする。
【０００９】
請求項２の構成によれば、操作部を押圧してヒンジ部が撓んだ際、操作ボタンに形成する当接部がボタン取り付け部に形成するストッパー部と当接し、前記操作ボタンが過剰に前記電子機器の内部に押し込まれることが規制される。
【００１０】
請求項３の操作ボタンを備えた電子機器は、請求項１又は２記載の操作ボタンを備えた電子機器において、前記装飾板が両面接着テープにより前記ボタン取り付け部に接着固定され、その装飾板と前記ボタン取り付け部とで前記操作ボタンを挟着保持したことを特徴とする。
【００１１】
請求項３の構成によれば、両面接着テープによって装飾板をボタン取り付け部に接着固定すると、装飾板と前記ボタン取り付け部との間に操作ボタンが挟着保持される。
【発明の効果】
【００１２】
請求項１の発明によれば、ボタン取り付け部と操作ボタンの何れか一方に形成した凸部を、ボタン取り付け部と操作ボタンの何れか他方に形成した凹部に嵌合させることによってボタン取り付け部に操作ボタンが位置決め保持され、操作ボタンの前面を覆う装飾板によってボタン取り付け部と装飾板との間に保持されることにより、従来技術のように操作ボタンを固定する為の台座を形成することで金型形状が複雑となり金型費用が増加してしまうこともなく、操作ボタンを固定する手段として従来用いたネジや融着といった締結作業が不要となり、部品点数の削減による電子機器のコストダウン、及び組立工数の削減による作業時間の短縮を実現することが出来る。
【００１３】
請求項２の発明によれば、ストッパー部をボタン取り付け部に形成したことにより、ストッパー部を別部材として形成する必要はなくなり、部品管理の負荷を緩和することが出来る。
【００１４】
請求項３の発明によれば、両面接着テープによって装飾板をボタン取り付け部に接着固定したことにより、操作ボタンが破損する等の不具合が発生した際にはボタン取り付け部に取り付けた装飾板を電子機器の外部から取り外し、ボタン取り付け部の凸部に嵌合しただけの操作ボタンを取り外すだけで操作ボタンの交換を容易に行うことが出来るので、電子機器の内部に取り付けた部材を分解することなく容易に且つ迅速に操作ボタンを交換することが出来る。
【発明を実施するための最良の形態】
【００１５】
以上のように、本発明は、フロントパネルに配置した操作ボタンを凹凸の嵌合構造によって位置決め保持し、操作ボタンの前面から装飾板を取り付けてフロントパネルと装飾板とによって操作ボタンを挟み込む構造にすることで、部品点数の削減による電子機器のコストダウン及び組立作業工数の削減による作業時間の短縮を実現すると共に、操作ボタンの操作部が電子機器の内部に過剰に押し込まれることを防止するものであるが、以下の実施例の説明においては、フロントパネルに操作ボタンを配置したＤＶＤ装置における実施例について説明する。
【００１６】
以下、本発明を実施するための最良の形態としての実施例を図１〜図７により以下に説明する。もちろん、本発明は、その発明の趣旨に反さない範囲で、実施例において説明した以外のものに対しても容易に適用可能なことは説明を要するまでもない。
【００１７】
図２及び図３は本発明における一実施例を示すフロントパネルのボタン取り付け部近傍を示す部分正面図と側面断面図であり、これらにより図示しない操作ボタンを取り付けるフロントパネル２０の構造について説明する。図２及び図３において、ＤＶＤ装置１０のフロントパネル２０には前記操作ボタンを取り付けて格納するボタン取り付け部２１を形成し、少なくともこのボタン取り付け部２１に配置される操作ボタンの操作部（図示略）を除いて操作ボタンの前面を覆う図示しない装飾板を取り付ける段差部２５を形成していると共に、このボタン取り付け部２１には開口部２２が開口している。この開口部２２の下部から前方に延出して前記フロントパネル２０と一体に形成した凸部２４を４箇所設けている。また、このフロントパネル２０には前記開口部２２の上部から下方に延出したストッパー部２３をこのフロントパネル２０と一体に形成している。
【００１８】
次に図４はフロントパネルに操作ボタンと装飾板を取り付ける前の状態を示す側面断面図である。前述の図２及び図３に示したフロントパネル２０に操作ボタン３０を取り付ける取り付け構造について説明する。操作ボタン３０にはその下部に凹部３６を形成した支持部３５が設けてあり前記フロントパネル２０のボタン取り付け部２１に形成した凸部２４に嵌合させて取り付けることを可能としている。また支持部３５の上部には薄肉部を形成し前記支持部３５を支点として撓むことを可能とするヒンジ部３４を設けている。さらにその上部には前方に延出してＤＶＤ装置１０の外部に露出し外部から押圧操作する操作部３１と、押圧操作されることにより図示しないスイッチを押圧する押圧部３３を操作ボタン３０の背面に突出して形成している。また、これら操作ボタン３０の上部には上方に向けて当接部３２を形成している。
【００１９】
続いて図５及び図６により、フロントパネルに操作ボタンを取り付けた状態について説明する。図５はフロントパネルに操作ボタンを取り付けた状態を示す部分正面図であり、図６はフロントパネルに操作ボタンを取り付けた状態を示す側面断面図である。図５において、フロントパネル２０のボタン取り付け部２１には前述の図２により４箇所に設けた凸部２４と対応する位置に４連に形成した操作ボタン３０を支持部３５で連結して配置しており、図６に示すように操作ボタン３０の凹部３６とフロントパネル２０のボタン取り付け部２１に形成した凸部２４とを嵌合させることにより操作ボタン３０を位置決め固定し、操作ボタン３０はフロントパネル２０に間隙を有して取り付けている。この４連に形成した操作ボタン３０は図５及び図６に示すように、各々薄肉で狭幅に形成した２本のヒンジ部３４と、前方に延出した操作部３１と、その後方に突き出した押圧部３３と、上方に向けて当接部３２を形成しており、操作ボタン３０がＤＶＤ装置１０の内部に過剰に押し込まれた時はこの当接部３２がこれと対向するフロントパネル２０の開口部２２に形成したストッパー部２３と当接して過剰に押し込まれることを規制するようにしている。
【００２０】
次に図１と図７及び前述の図４により装飾板４０を取り付ける取り付け構造と取り付けた状態について説明する。図１はフロントパネルに操作ボタンと装飾板を取り付けた後の状態を示す側面断面図であり、図７はフロントパネルに装飾板を取り付けた状態を示す部分正面図である。図４において装飾板４０には前記操作ボタン３０の操作部３１を挿通する貫通孔４１が開口している。また、この装飾板４０をフロントパネル２０に取り付ける手段として本実施例においては図４に示すように両面接着テープ５０を用いて接着固定している。これにより装飾板４０をフロントパネル２０に取り付ける際は、予め前記両面接着テープ５０を前記フロントパネル２０の段差部２５に貼り付けておく、或いは両面接着テープ５０を装飾板４０に貼り付けておき、既にフロントパネル２０に取り付けてある操作ボタン３０の操作部３１を前記装飾板４０に開口した貫通孔４１に挿通させつつ前記装飾板４０をフロントパネル２０の段差部２５に貼り付けて接着固定することが出来る。これにより図７に示すようにＤＶＤ装置１０の前面にはフロントパネル２０に装飾板４０が取り付けられ、装飾板４０の２箇所に開口した貫通孔４１のそれぞれに操作ボタン３０の操作部３１がそれぞれ２個ずつ、合わせて４個の操作部３１が配置され、操作ボタン３０が配置されたボタン取り付け部２１を装飾板４０が美装を施して覆っている。
【００２１】
以上のように本実施例によれば、本発明の操作ボタンを備えた電子機器であるＤＶＤ装置１０は、フロントパネル２０のボタン取り付け部２１に形成した凸部２４と操作ボタン３０の支持部３５に形成した凹部３６とを嵌合させることによってボタン取り付け部２１に操作ボタン３０を位置決め保持し、操作ボタン３０の前面を覆う装飾板４０によってボタン取り付け部２１と装飾板４０との間に保持されることにより、ボタン取り付け部２１に装着される操作ボタン３０は、装飾板４０の貫通孔４１に露出した操作部３１を押圧することでヒンジ部３４が撓んで操作ボタン３０の背面に形成する押圧部３３によって内部のスイッチを操作することが出来る。また、これにより従来技術のように操作ボタン３０を固定する為の台座を形成することでケースの金型形状が複雑となり金型費用が増加してしまうこともなく、操作ボタン３０を固定する手段として従来用いたネジや融着といった締結作業が不要となり、部品点数の削減によるＤＶＤ装置１０などの電子機器のコストダウン、及び組立工数の削減による作業時間の短縮を実現することが出来る。
【００２２】
また、ボタン取り付け部２１にはストッパー部２３を形成し、操作ボタン３０には当接部３２を形成したことにより、操作部３１を押圧操作してヒンジ部３４が撓んだ際、操作ボタン３０に形成する当接部３２がボタン取り付け部２１に形成するストッパー部２３と当接し、前記操作ボタン３０が過剰にＤＶＤ装置１０の内部に押し込まれることを規制することが出来るので操作ボタン３０の寿命が短くなる、或いは当接部３２で押圧される図示しないスイッチが破損することを防止することが出来る。更にストッパー部２３をボタン取り付け部２１に形成したことにより、ストッパー部２３を別部材として形成する必要はなくなり、部品管理の負荷を緩和することが出来る。また、両面接着テープ５０によって装飾板４０をボタン取り付け部２１に接着固定することにより、装飾板４０と前記ボタン取り付け部２１との間に操作ボタン３０を挟着保持することが出来る。これにより、操作ボタン３０が破損する等の不具合が発生した際にはボタン取り付け部２１に両面接着テープ５０で接着しただけの装飾板４０をＤＶＤ装置１０の外部から取り外し、ボタン取り付け部２１の凸部２４に嵌合しただけの操作ボタン３０を取り外すだけで操作ボタン３０の交換を容易に行うことが出来るので、ＤＶＤ装置１０の内部に取り付けた部材を分解することなく容易に且つ迅速に操作ボタン３０を交換することが出来る。
【００２３】
以上、本実施例を詳述したが、本発明は、前記実施例に限定されるものではなく、本発明の要旨の範囲内で種々の変形実施が可能である。例えば、操作ボタンを備えた電子機器はＤＶＤ装置１０に限定されず、フロントパネル２０に操作ボタン３０が配置された電子機器であればＤＶＤ装置１０とＨＤＤ装置の複合機、或いはテレビやテレビとＤＶＤ装置との複合機等でもよい。また、操作ボタン３０をフロントパネル２０と装飾板４０によって挟み込む構造でフロントパネル２０の前面から取り付けと取り外しが可能な構成であれば、フロントパネル２０に操作ボタン３０を取り付ける嵌合構造の凹部３６の形成は操作ボタン３０側に限らずフロントパネル２０側に形成し、凸部２４を操作ボタン３０側に配置するとか、その配置する位置も開口部２２の下部に限らず上部や左方、右方に配置するなどでもよく、更に装飾板４０の取り付け手段も装飾板４０或いはフロントパネル２０の何れか一方にフックを形成し、他方に形成した係合孔とこのフックによる係合にてフロントパネル２０と装飾板４０とを取り付ける構造とするなど電子機器の組み立て易さや操作性を配慮して変更するなど、適宜選定すればよい。
【図面の簡単な説明】
【００２４】
【図１】本発明の一実施例を示すフロントパネルに操作ボタンと装飾板を取り付けた後の状態を示す側面断面説明図である。
【図２】本発明におけるフロントパネルのボタン取り付け部近傍を示す部分正面説明図である。
【図３】本発明におけるフロントパネルのボタン取り付け部近傍を示す側面断面説明図である。
【図４】本発明におけるフロントパネルに操作ボタンと装飾板を取り付ける前の状態を示す側面断面説明図である。
【図５】本発明におけるフロントパネルに操作ボタンを取り付けた状態を示す部分正面説明図である。
【図６】本発明におけるフロントパネルに操作ボタンを取り付けた状態を示す側面断面説明図である。
【図７】本発明におけるフロントパネルに操作ボタンと装飾板を取り付けた状態を示す部分正面説明図である。
【符号の説明】
【００２５】
１０        ＤＶＤ装置
２０        フロントパネル
２１        ボタン取り付け部
２２        開口部
２３        ストッパー部
２４        凸部
３０        操作ボタン
３１        操作部
３２        当接部
３４        ヒンジ部
３５        支持部
３６        凹部
４０        装飾板
４１        貫通孔
【図１】
2006210191.tif 000003
【図２】
2006210191.tif 000004
【図３】
2006210191.tif 000005
【図４】
2006210191.tif 000006
【図５】
2006210191.tif 000007
【図６】
2006210191.tif 000008
【図７】
2006210191.tif 000009